(57)【要約】【課題】発光素子による光ディジタル信号を光ファイバケーブルを介して他の装置に送信するディジタル信号送信装置において、光ファイバケーブルを介して他の装置が接続されていないときに、発光素子の無駄な発光を停止し、省電力化をはかる。【解決手段】光ファイバケーブル１５０とディジタル信号送信装置１００及びディジタル信号受信装置２００とを結合する各コネクタ１２０、１３０、２２０及び２３０に、それぞれ２つの端子１２１Ａ、１２１Ｂ、１３１Ａ、１３１Ｂ、２３１Ａ、２３１Ｂ、２２１Ａ、２２１Ｂを設け、光ファイバケーブル１５０がディジタル信号送信装置１００とディジタル信号受信装置２００に正しく接続されたときにのみ、電源回路１１３から発光素子１１１の発光を制御するための駆動制御回路１１２に電源を供給するように結線する。【選択図】図２
2005197908.tif 000002
【特許請求の範囲】
【請求項１】
ディジタル信号を送信するディジタル信号送信装置と、前記ディジタル信号送信装置から送信されたディジタル信号を受信するディジタル信号受信装置と、前記ディジタル信号送信装置と前記ディジタル信号受信装置との間を接続する光ファイバケーブルを備えたディジタル信号送受信システムにおいて、
前記ディジタル信号送信装置は、光ディジタル信号を出力する発光素子と、送信されるべきディジタル信号に応じて前記発光素子の発光を制御する駆動制御回路と、前記駆動制御回路に電力を供給する電源回路と、前記発光素子の近傍に設けられ、前記光ファイバケーブルが接続される第１コネクタと、前記第１コネクタの前記光ファイバケーブルと接触する面に設けられ、前記電源回路及び前記駆動制御回路にそれぞれ接続された２つの第１端子とを備え、
前記ディジタル信号受信装置は、前記光ファイバを介して送信された光ディジタル信号を受光する受光素子と、前記受光素子から出力される信号を処理することにより前記送信されるべきディジタル信号を再生する信号再生回路と、前記受光素子の近傍に設けられ、前記光ファイバケーブルが接続される第２コネクタと、前記第２コネクタの前記光ファイバケーブルと接触する面に設けられ、互いに短絡された２つの第２端子を備え、
前記光ファイバケーブルは、その一端に設けられ、前記第１コネクタに接続される第３コネクタと、他端に設けられ、前記第２コネクタに接続される第４コネクタと、前記第３コネクタと前記第４コネクタの間に設けられ、両端面が前記発光素子及び前記受光素子にそれぞれ対向するように保持された光ファイバと、前記第１端子にそれぞれ接触するように前記第３コネクタに設けられた２つの第３端子と、前記第２端子にそれぞれ接触するように前記第４コネクタに設けられた２つの第４端子と、前記第３コネクタと前記第４コネクタの間に前記光ファイバに沿って設けられ、前記第３端子と前記第４端子とを接続する２本の導線と、前記光ファイバ及び前記２本の導線を保護するための絶縁被覆とを備え、
前記駆動制御回路は、前記光ファイバケーブルが前記第１コネクタと前記第２コネクタとの間に正しく接続されたときにのみ、前記電源回路から電力が供給されて前記発光素子の発光の制御を行い、それ以外のときは電力が供給されず前記発光素子を発光させないことを特徴とするディジタル信号送受信システム。
【請求項２】
ディジタル信号を送信するディジタル信号送信装置と、前記ディジタル信号送信装置から送信されたディジタル信号を受信するディジタル信号受信装置と、前記ディジタル信号送信装置と前記ディジタル信号受信装置との間を接続する光ファイバケーブルを備えたディジタル信号送受信システムにおいて、
前記ディジタル信号送信装置は、前記光ファイバケーブルを介して前記ディジタル信号受信装置と接続されたときにのみ、前記光ファイバケーブルを介して光ディジタル信号を前記ディジタル信号受信装置に送信することを特徴とするディジタル信号送受信システム。
【請求項３】
ディジタル信号を送信するディジタル信号送信装置と前記ディジタル信号送信装置から送信されたディジタル信号を受信するディジタル信号受信装置との間に接続される光ファイバケーブルにおいて、光ケーブルに沿って設けられた少なくとも２本の導線と、前記導線を前記ディジタル信号送信装置及び前記ディジタル信号受信装置に設けられた端子に接続するコネクタを有することを特徴とする光ファイバケーブル。
【発明の詳細な説明】
【技術分野】
【０００１】
本発明は、オーディオ機器やパーソナルコンピュータなどのように、ディジタルデータを光ディジタル信号として送受信するディジタル信号送受信システム及びそれに適する光ファイバケーブルに関する。
【背景技術】
【０００２】
従来から、ＣＤプレーヤやＭＤプレーヤなどのディジタルオーディオ機器の間では、一方の機器により読み出されたディジタル信号をそのままディジタル信号の状態で送信し、他方の機器において受信したディジタル信号をそのままディジタル信号の状態で記録することが行われている。これらのディジタルオーディオ機器では、ディジタル信号を送受信するために、Ｓ／ＰＤＩＦ(Sony/Philips Digital Interface Format)などのディジタルインタフェースが用いられ、機器間を光ファイバケーブルを介して接続している。また、パーソナルコンピュータにおいても、オーディオ信号を再生したり編集したりする機能が設けられたものが増えており、このようなディジタルインタフェースが設けられたものも存在する。
【０００３】
従来のオーディオ機器などでは、光ファイバケーブルが接続されているか否かにかかわらず、ディジタルインタフェースに設けられたＬＥＤなどの発光素子から光ディジタル信号を出力し続けていた。そのため、必要のないときでも常時発光素子が駆動されているので、電力が無駄に消費されるという問題点を有していた。この点は、特にバッテリで駆動されるモバイル機器において深刻である。また、ユーザにとっては、機器の光ファイバケーブル用コネクタから光が漏れているため、機器の故障又は誤動作と勘違いを起こす可能性がある。そこで、特許文献１では、ディジタルインタフェース部に、光ファイバケーブルが接続されたことを検出するセンサを設け、このセンサがオンしたときにのみ発光素子を駆動するようにしている。同様に、特許文献２では、ケーブル（光ファイバケーブルに限定されない）が接続されたときにのみ、インタフェース回路に電力を供給することにより省電力化をはかっている。
【０００４】
しかしながら、特許文献１及び特許文献２に記載された方法では、一方の機器にのみケーブルが接続され他方の機器にはまだそのケーブルが接続されていない状態、すなわち２つの機器がまだ接続されていない状態でも、発光素子が駆動されたりインタフェース回路に電力が供給されたりするので、ユーザが機器にケーブルを接続したままの状態で使用するときには、省電力効果が得られないという問題点を残している。
【特許文献１】特開２００３−５０６５２号公報
【特許文献２】特開平６−３０９０７１号公報
【発明の開示】
【発明が解決しようとする課題】
【０００５】
本発明は、上記の問題を解決するためになされたものであり、２つの機器間に光ファイバケーブルが接続されたときにのみＬＥＤを駆動することにより、省電力化をはかったディジタル信号送受信システム及びそれに適する光ファイバケーブルを提供することを目的とする。
【課題を解決するための手段】
【０００６】
上記目的を達成するために請求項１の発明は、ディジタル信号を送信するディジタル信号送信装置と、前記ディジタル信号送信装置から送信されたディジタル信号を受信するディジタル信号受信装置と、前記ディジタル信号送信装置と前記ディジタル信号受信装置との間を接続する光ファイバケーブルを備えたディジタル信号送受信システムにおいて、
前記ディジタル信号送信装置は、光ディジタル信号を出力する発光素子と、送信されるべきディジタル信号に応じて前記発光素子の発光を制御する駆動制御回路と、前記駆動制御回路に電力を供給する電源回路と、前記発光素子の近傍に設けられ、前記光ファイバケーブルが接続される第１コネクタと、前記第１コネクタの前記光ファイバケーブルと接触する面に設けられ、前記電源回路及び前記駆動制御回路にそれぞれ接続された２つの第１端子とを備え、
前記ディジタル信号受信装置は、前記光ファイバを介して送信された光ディジタル信号を受光する受光素子と、前記受光素子から出力される信号を処理することにより前記送信されるべきディジタル信号を再生する信号再生回路と、前記受光素子の近傍に設けられ、前記光ファイバケーブルが接続される第２コネクタと、前記第２コネクタの前記光ファイバケーブルと接触する面に設けられ、互いに短絡された２つの第２端子を備え、
前記光ファイバケーブルは、その一端に設けられ、前記第１コネクタに接続される第３コネクタと、他端に設けられ、前記第２コネクタに接続される第４コネクタと、前記第３コネクタと前記第４コネクタの間に設けられ、両端面が前記発光素子及び前記受光素子にそれぞれ対向するように保持された光ファイバと、前記第１端子にそれぞれ接触するように前記第３コネクタに設けられた２つの第３端子と、前記第２端子にそれぞれ接触するように前記第４コネクタに設けられた２つの第４端子と、前記第３コネクタと前記第４コネクタの間に前記光ファイバに沿って設けられ、前記第３端子と前記第４端子とを接続する２本の導線と、前記光ファイバ及び前記２本の導線を保護するための絶縁被覆とを備え、
前記駆動制御回路は、前記光ファイバケーブルが前記第１コネクタと前記第２コネクタとの間に正しく接続されたときにのみ、前記電源回路から電力が供給されて前記発光素子の発光の制御を行い、それ以外のときは電力が供給されず前記発光素子を発光させないことを特徴とする。
【０００７】
請求項２の発明は、ディジタル信号を送信するディジタル信号送信装置と、前記ディジタル信号送信装置から送信されたディジタル信号を受信するディジタル信号受信装置と、前記ディジタル信号送信装置と前記ディジタル信号受信装置との間を接続する光ファイバケーブルを備えたディジタル信号送受信システムにおいて、
前記ディジタル信号送信装置は、前記光ファイバケーブルを介して前記ディジタル信号受信装置と接続されたときにのみ、前記光ファイバケーブルを介して光ディジタル信号を前記ディジタル信号受信装置に送信することを特徴とする。
【０００８】
請求項３の発明は、ディジタル信号を送信するディジタル信号送信装置と前記ディジタル信号送信装置から送信されたディジタル信号を受信するディジタル信号受信装置との間に接続される光ファイバケーブルにおいて、光ケーブルに沿って設けられた少なくとも２本の導線と、前記導線を前記ディジタル信号送信装置及び前記ディジタル信号受信装置に設けられた端子に接続するコネクタを有することを特徴とする。
【発明の効果】
【０００９】
請求項１の発明によれば、光ファイバケーブルがディジタル信号送信装置とディジタル信号受信装置の間に正しく接続されると、光ファイバの両端面が発光素子と受光素子に対向するように配置されると同時に、第１端子と第３端子、及び第２端子と第４端子がそれぞれ電気的に接続される。２つの第２端子間が短絡されているので、２つの第１端子間も実質的に短絡され、電源回路と駆動制御回路が電気的に接続され電源回路から駆動制御回路に電力が供給される。駆動制御回路は、電力の供給によって初めて発光素子の駆動が可能となるので、ディジタル信号送信装置に光ファイバケーブルが接続されていないときだけでなく、ディジタル信号送信装置に光ファイバケーブルが接続されているけれども、光ファイバケーブルが相手側のディジタル信号受信装置に接続されていないときにも、発光素子の無駄な発光を停止することができる。その結果、ディジタル信号送信装置の省電力化をはかることができる。
【００１０】
請求項２の発明によれば、光ファイバケーブルを介してディジタル信号受信装置と接続されたときにのみ、ディジタル信号送信装置が、光ファイバケーブルを介して光ディジタル信号をディジタル信号受信装置に送信するので、ディジタル信号送信装置に光ファイバケーブルが接続されていないときだけでなく、ディジタル信号送信装置に光ファイバケーブルが接続されているけれども、光ファイバケーブルが相手側のディジタル信号受信装置に接続されていないときにも、ディジタル信号の無駄な送信を防止することができる。その結果、ディジタル信号送信装置の省電力化をはかることができる。
【００１１】
請求項３の発明によれば、光ケーブルに沿って少なくとも２本の導線が設けられているので、２本の導線を介して電源回路から駆動制御回路に電力を供給するか、あるいは、２本の導線を用いて光ファイバケーブルが他の装置に接続されているか否かを確認することができる。そのため、この光ファイバケーブルを用いれば、光ファイバケーブルを介してディジタル信号送信装置とディジタル信号受信装置とが接続されているときにのみ、ディジタル信号の送信を行うようにディジタル信号送受信システムを構成することができる。
【発明を実施するための最良の形態】
【００１２】
本発明を実施するための最良の形態について図面を参照して説明する。本発明の一実施の形態に係るディジタル信号送受信システムの構成を図１に示す。
【００１３】
図１において、ディジタル信号送信装置１００は、例えばＣＤプレーヤやＤＶＤプレーヤなどの光ディスク装置であり、光ディスク１に記録されているディジタルデータを読み出して出力する。また、ディジタル信号受信装置２００は、例えばＣＤ−Ｒ装置、ＤＶＤ−Ｒ装置、ＭＤプレーヤ、ＭＤプレーヤなどの記録再生装置であり、ディジタル信号送信装置１００から送信されてきたディジタルデータをディジタルデータの状態で光（光磁気）ディスク２に記録する。なお、これらの装置で処理されるデータはディジタルデータの状態であるが、途中で解凍や圧縮がなされる場合もあり、必ずしも物理的に同じデータであるとは限らない。
【００１４】
ディジタル信号送信装置１００は、光ディスク１を回転駆動するスピンドルモータ１０１と、光ディスク１にレーザビームを照射して、光ディスク１からの反射光を受光することにより、光ディスク１に記録されているデータを読み出す光ピックアップ１０２と、光ディスク１のトラックに追従するように光ピックアップ１０２の位置を制御するサーボ制御機構１０３を備えている。光ピックアップ１０２から出力された信号は、信号処理部１０４によりＡ／Ｄ変換などの処理が施されて、ディジタル信号に変換される。信号処理部１０４により変換されたディジタル信号は、バッファメモリ１０５に一時的に記憶される。バッファメモリ１０５に記憶されているディジタル信号が圧縮されたデータである場合、デコーダ１０６は、圧縮されたデータを解凍して、アンプ３を介してスピーカ４などに出力する。主制御部１０７は、ディジタル信号送信装置１００の全体を制御する。主制御部１０７には、リモコン装置５からの指示信号を受信するリモコン受信部１０８と、ディジタル信号送信装置１００の状態などを表示する表示部１０９などが接続されている。光ディスク１から読み出され、所定の処理を受けたディジタル信号は、光ディジタルインタフェース部１１０から、光ファイバケーブル１５０を介してディジタル信号受信装置２００に送信される。
【００１５】
ディジタル信号受信装置２００は、光（光磁気）ディスク２を回転駆動するスピンドルモータ２０１と、光（光磁気）ディスク２にレーザビームを照射し又は磁界をかけた状態でレーザを照射して、光（光磁気）ディスク２にデータを記録する光ピックアップ２０２と、光（光磁気）ディスク２のトラックに追従するように光ピックアップ２０２の位置を制御するサーボ制御機構２０３を備えている。光ファイバケーブル１５０を介してディジタル信号送信装置１００から送信されてきたディジタル信号は、光ディジタルインタフェース部２１０により受信され、バッファメモリ２０５に一時的に記憶される。バッファメモリ２０５に記憶されたディジタル信号は、信号処理部２０４により、データに圧縮処理などが施されて、光（光磁気）ディスク２に記録するためのデータに変換され、主制御部２０７を介して光ピックアップ２０２に出力される。主制御部２０７は、ディジタル信号受信装置２００の全体を制御する。主制御部２０７には、リモコン装置５’からの指示信号を受信するリモコン受信部２０８と、ディジタル信号受信装置２００の状態などを表示する表示部２０９などが接続されている。
【００１６】
次に、ディジタル信号送信装置１００側の光ディジタルインタフェース部１１０、光ファイバケーブル１５０及びディジタル信号受信装置２００側の光ディジタルインタフェース部２１０の具体的な構成例を図２に示す。
【００１７】
図２に示すように、ディジタル信号送信装置１００側の光ディジタルインタフェース部（Ｉ／Ｆ）１１０は、光ディジタル信号を出力する、例えば発光ダイオード（ＬＥＤ）などの発光素子１１１と、送信されるべきディジタル信号に応じて発光素子１１１の発光を制御する駆動制御回路（駆動ＩＣ）１１２を備える。この駆動制御回路１１２は、ディジタル信号送信装置１００の主制御部１０７により制御される。発光素子１１１の近傍には、光ファイバケーブル１５０が接続される第１コネクタ１２０が設けられている。また、第１コネクタ１２０の光ファイバケーブル１５０と接触する面には、２つの第１端子１２１Ａ及び１２１Ｂが設けられている。一方の第１端子１２１Ａは駆動制御回路１１２に電力を供給するための電源回路１１３に接続されており、他方の第１端子１２１Ｂは駆動制御回路１１２に接続されている。
【００１８】
同様に、ディジタル信号受信装置２００側の光ディジタルインタフェース部（Ｉ／Ｆ）２１０は、光ファイバ１５０を介して送信された光ディジタル信号を受光する、例えばフォトダイオード（ＰＤ）などの受光素子２１１と、受光素子２１１から出力される信号を処理することにより送信されるべきディジタル信号を再生する信号再生回路２１２を備えている。受光素子２１１の近傍には、光ファイバケーブル１５０が接続される第２コネクタ２２０が設けられている。また、第２コネクタ２２０の光ファイバケーブル１５０と接触する面には、互いに短絡された２つの第２端子２２１Ａ及び２２１Ｂが設けられている。
【００１９】
光ファイバケーブル１５０の一端には、ディジタル信号送信装置１００側の第１コネクタ１２０に接続される第３コネクタ１３０が設けられており、他端には、ディジタル信号受信装置２００側の第２コネクタ２２０に接続される第４コネクタ２３０が設けられている。図２では、第１コネクタ１２０と第２コネクタ２２０を同一形状として描いているので、第３コネクタ１３０と第４コネクタ２３０も同一形状を有している。しかしながら、本発明における各コネクタはこれらの形状に限定されず、少なくとも第１コネクタ１２０と第３コネクタ１３０とが結合可能であり、かつ第２コネクタ２２０と第４コネクタ２３０とが結合可能であれば、それぞれ異なる形状を有していてもよい。
【００２０】
光ファイバケーブル１５０において、光ファイバ１５１は第３コネクタ１３０と第４コネクタ２３０の間に設けられ、その両端面１５１Ａ及び１５１Ｂが発光素子１１１及び受光素子２１１にそれぞれ対向するように保持されている。第３コネクタ１３０の外周面には、第１コネクタ１２０の第１端子１２１Ａ及び１２１Ｂにそれぞれ接触するように２つの第３端子１３１Ａ及び１３１Ｂが設けられている。同様に、第４コネクタ２３０の外周面には、第２コネクタ２２０の第２端子２２１Ａ及び２２１Ｂにそれぞれ接触するように２つの第４端子２３１Ａ及び２３１Ｂが設けられている。一方の第３端子１３１Ａと第４端子２３１Ａ及び他方の第３端子１３１Ｂと第４端子２３１Ｂは、それぞれ光ファイバ１５１に沿って設けられた２本の導線１５２Ａ及び１５２Ｂにより電気的に接続されている。光ファイバ１５１及び２本の導線１５２Ａ及び１５２Ｂは、絶縁被覆１５３により保護されている。
【００２１】
次に、ディジタル信号送受信システムの動作について説明する。光ファイバケーブル１５０がディジタル信号送信装置１００に接続されていない場合、第１端子１２１Ａと１２１Ｂとは電気的に接続されていないので、駆動制御回路１１２は電源回路１１３に接続されておらず、駆動制御回路１１２に電力は供給されない。光ファイバケーブル１５０がディジタル信号送信装置１００に接続されているけれども、ディジタル信号受信装置２００には接続されていない場合、第１端子１２１Ａ及び１２１Ｂにはそれぞれ第３端子１３１Ａ及び１３１Ｂが電気的に接続されるが、第４端子２３１Ａと２３１Ｂとの間が電気的に接続されていないので、駆動制御回路１１２は電源回路１１３に接続されておらず、駆動制御回路１１２に電力は供給されない。これに対して、光ファイバケーブル１５０がディジタル信号送信装置１００とディジタル信号受信装置２００との間に正しく接続されている場合、電源回路１１３は、第１端子１２１Ａ、第３端子１３１Ａ、導線１５２Ａ、第４端子２３１Ａ、第２端子２２１Ａ、第２端子２２１Ｂ、第４端子２３１Ｂ、導線１５２Ｂ、第３端子１３１Ｂ、第１端子１２１Ｂの順に電気的に接続されて、駆動制御回路１１２に電気的に接続される。その結果、電源回路１１３から駆動制御回路１１２に電力が供給され、駆動制御回路１１２が機能することができる。
【００２２】
このように、駆動制御回路１１２は、光ファイバケーブル１５０が第１コネクタ１２０と第２コネクタ２２０との間に正しく接続されたときにのみ、電源回路１１３から電力が供給され、図１に示す主制御部１０７を介して伝送された送信されるべきディジタル信号に応じて発光素子１１１の発光の制御を行い、それ以外のときは電力が供給されず発光素子１１１を発光させない。その結果、ディジタル信号送信装置１００に光ファイバケーブル１５０が接続されていないときだけでなく、ディジタル信号送信装置１００に光ファイバケーブル１５が接続されているけれども、光ファイバケーブル１５０が相手側のディジタル信号受信装置２００に接続されていないときにも、発光素子１１１の無駄な発光を停止することができる。その結果、ディジタル信号送信装置１００の省電力化をはかることができる。
【００２３】
なお、上記実施の形態では、ディジタル信号送信装置１００として、ＣＤプレーヤやＤＶＤプレーヤなどの光ディスク装置を例示し、ディジタル信号受信装置２００として、ＣＤ−Ｒ装置、ＤＶＤ−Ｒ装置、ＭＤプレーヤ、ＭＤプレーヤなどの記録再生装置を例示したが、本発明のディジタル信号送受信システムはこれに限定されるものではない。ディジタル信号送信装置１００は、必ずしも再生専用である必要ななく、ＣＤ−Ｒ装置、ＤＶＤ−Ｒ装置、ＭＤプレーヤなどのような記録再生装置であってもよい。あるいは、パーソナルコンピュータのようなディジタルデータを送受信する装置であってもよい。また、ディジタル信号受信装置２００も記録再生装置に限られず、受信したディジタル信号を記録せずに再生のみ行う再生装置であってもよい。
【００２４】
さらに、ディジタル信号送信装置１００とディジタル信号受信装置２００との間で送受信されるディジタル信号は、オーディオデータに関するものに限られず、ビデオデータやその他のディジタルデータに関するものであってもよい。さらに、将来的にインターネットなどを介して配信されるであろうオーディオデータやビデオデータなどを、パーソナルコンピュータからＣＤ−Ｒ装置やＤＶＤ−Ｒ装置などの光ディスク記録再生装置に送信する際にも応用することも可能である。
【００２５】
さらに、ディジタル信号送信装置１００側の光ディジタルインタフェース部１１０、光ファイバケーブル１５０及びディジタル信号受信装置２００側の光ディジタルインタフェース部２１０の構成は、図２に例示したものに限られず、光ファイバケーブル１５０がディジタル信号送信装置１００とディジタル信号受信装置２００の両方に接続されているときにのみ、発光素子１１１の発光を制御するような構成であればよい。例えば、第１端子１２１Ａと１２１Ｂの間に所定の電圧を印加させておき、第２端子２２１Ａと２２１Ｂの間に所定の抵抗を接続しておく。駆動制御回路１１２により、光ファイバケーブル１５０がディジタル信号送信装置１００とディジタル信号受信装置２００の間に接続されたときの第１端子１２１Ａと１２１Ｂの間の電圧降下を検出し、それによって発光素子１１１の発光制御を開始するように構成してもよい。
【図面の簡単な説明】
【００２６】
【図１】本発明の一実施の形態に係るディジタル信号送受信システムの構成を示す図。
【図２】上記ディジタル信号送受信システムにおけるディジタル信号送信装置側の光ディジタルインタフェース部、光ファイバケーブル及びディジタル信号受信装置側の光ディジタルインタフェース部の具体的な構成例を示す図。
【符号の説明】
【００２７】
１００  ディジタル信号送信装置
１１０  光ディジタルインタフェース部
１１１  発光素子
１１２  駆動制御回路
１１３  電源回路
１２０  第１コネクタ
１２１Ａ、１２１Ｂ  第１端子
１３０  第２コネクタ
１３１Ａ、１３１Ｂ  第３端子
１５０  光ファイバケーブル
１５１  光ファイバ
１５１Ａ、１５１Ｂ  光ファイバの端面
１５２Ａ、１５２Ｂ  導線
１５３  絶縁被覆
２００  ディジタル信号受信装置
２１０  光ディジタルインタフェース部
２１１  受光素子
２１２  信号再生回路
２２０  第２コネクタ
２２１Ａ、２２１Ｂ  第２端子
２３０  第４コネクタ
２３１Ａ、２３１Ｂ  第４端子
【図１】
2005197908.tif 000003
【図２】
2005197908.tif 000004